(57)【要約】簡易な構成で、筆記入力を可能とし、筆記入力された描画情報を記憶して、描画情報の再利用性を向上させることを課題とする。マーカペンで筆記することにより、表面にインクで筆記情報を記入することが可能なマーカ面部材と、前記マーカ面部材の裏面に配置され、かつ前記筆記の際に前記マーカペンが接触した位置の情報を取得するタッチセンサ部材と、前記マーカペンが前記マーカ面部材に接触した位置の情報から、前記筆記情報に対応する入力情報を生成する入力情報生成部とを備えることを特徴とする筆記入力装置。
2018012563.tif 000002
【特許請求の範囲】
【請求項１】
マーカペンで筆記することにより、表面にインクで筆記情報を記入することが可能なマーカ面部材と、
前記マーカ面部材の裏面に配置され、かつ前記筆記の際に前記マーカペンが接触した位置の情報を取得するタッチセンサ部材と、
前記マーカペンが前記マーカ面部材に接触した位置の情報から、前記筆記情報に対応する入力情報を生成する入力情報生成部とを備えることを特徴とする筆記入力装置。
【請求項２】
前記タッチセンサ部材は、静電容量方式のタッチセンサであることを特徴とする請求項１に記載の筆記入力装置。
【請求項３】
前記タッチセンサ部材は、インクを含んだ前記マーカペンの先端部が前記マーカ面部材の表面に接触することによる静電容量の変化を検出することを特徴とする請求項２に記載の筆記入力装置。
【請求項４】
前記インクは、溶媒の主成分の比誘電率が１０以上であることを特徴とする請求項３に記載の筆記入力装置。
【請求項５】
前記マーカ面部材は、樹脂材料からなることを特徴とする請求項１から４のいずれかに記載の筆記入力装置。
【請求項６】
前記マーカ面部材の厚さは１．０ｍｍ以上、１０．０ｍｍ以下であることを特徴とする請求項１から５のいずれかに記載の筆記入力装置。
【請求項７】
前記タッチセンサ部材を保護する保護部材をさらに備え、
前記保護部材が、前記タッチセンサ部材の前記マーカ部材が位置する側の面とは反対側の面に配置されることを特徴とする請求項１または２に記載の筆記入力装置。
【請求項８】
前記保護部材は、発泡性樹脂またはコルゲート板からなることを特徴とする請求項７に記載の筆記入力装置。
【請求項９】
前記保護部材の厚さは１０．０ｍｍ以上、５０．０ｍｍ以下であることを特徴とする請求項７または８のいずれかに記載の筆記入力装置。
【請求項１０】
前記入力情報生成部は、静電容量の変化が、所定の第１のしきい値より大きく、所定の第2のしきい値より小さい場合に、接触された操作を入力操作であると判定し、第2のしきい値よりも大きい変化であった場合は、接触された操作を入力操作以外であると判定することを特徴とする請求項２に記載の筆記入力装置。
【請求項１１】
前記入力情報生成部は、静電容量の変化の大きさを利用して入力操作と消去操作とを判別し、
消去操作がされたと判定した場合は、消去操作がされた部分に対応する入力情報を消去することを特徴とする請求項２または１０に記載の筆記入力装置。
【請求項１２】
前記消去操作は、消去部材により行われるものであって、
前記消去部材は、所定面積以上の大きさを持ち、前記マーカ面部材上で静電容量の変化を発生させるための導電性部材と、前記マーカ面部材に記入されたマーカペンのインクを消去するための拭き取り部とを備え、
前記消去操作がされた場合、前記拭き取り部によって前記マーカ面部材の表面に記入された筆記情報が消去されると同時に、前記消去操作がされた部分に対応する入力情報が消去されることを特徴とする請求項１１に記載の筆記入力装置。
【請求項１３】
前記入力情報を、外部機器に送信する通信部を、さらに備えたことを特徴とする請求項１から１２のいずれかに記載の筆記入力装置。
【請求項１４】
前記入力情報は、前記マーカペンが前記マーカ面部材に接触した位置の入力座標データ、および前記入力座標データを利用して生成された画像データであり、
前記入力座標データに加えて、接触状態を区別可能な情報である属性情報を含むことを特徴とする請求項１から１３のいずれかに記載の筆記入力装置。
【発明の詳細な説明】
【技術分野】
【０００１】
この発明は、筆記入力装置に関し、筆記入力された文字等を記憶することのできる筆記入力装置に関する。
【背景技術】
【０００２】
従来、手書き入力により文字や図形を電子的に入力する方法としては、指や電子ペンを用いて仮想的に描かれた情報を読み取る方式と、実ペンを用いて筆記された情報を読み取る方式とが知られている。また、手書き入力された情報を表示することができる手書き入力装置としては、ディスプレイ等の表示手段を利用するものがある。ディスプレイとして液晶表示装置を用いる入力装置では、タッチパネルと液晶表示パネルとが重ねて配置され、入力装置は、液晶表示パネルの上に仮想的に描かれた手書き文字等をタッチパネルの位置情報として入力し、入力された手書き文字等を記憶して液晶表示パネルに表示させる。【０００３】
また、特許文献1には、表面と裏面とが連続した一体構造として形成されたホワイトボード面を備え、ホワイトボード面の表面にマーカペンを用いて実際に文字等を筆記することが可能となっており、スライド開始ボタンが押し下げられた場合に、ホワイトボード面をスライドさせ、スライド時に、スキャナによってホワイトボード面の表面の筆記された文字等を画像データに変換して保存した後、ホワイトボード面の表面の筆記された文字等を消去することによって、使い勝手とセキュリティ機能を高めた電子化ホワイトボード装置が記載されている。
【先行技術文献】
【特許文献】
【０００４】
特許文献１：特開２０１１−１６３２６号公報
【発明の概要】
【発明が解決しようとする課題】
【０００５】
しかし、ディスプレイを用いる場合、保護ガラスなどが前面に存在するため、ユーザが描画した際に視差が生じ、入力がしにくい場合があり、マーカペン等の実ペンを用いて直接筆記するホワイトボードに比べて、手書きされた文字等の再現性や視認性が悪くなる場合がある。また、使用するペン先の素材によっては、筆記音が気になる場合もある。また、使用によりディスプレイの表面に汚れや傷が発生すると、ディスプレイの表示情報の視認性が悪化するため、使用できるペンの種類が限定され、特にホワイトボードと同じようなインク式のマーカペンを用いることは望ましく無い。【０００６】
一方で、特許文献1を含め、ホワイトボードにマーカで描画する方式は古くから用いられているが、ホワイトボード面に筆記された文字等を保存するためには、スキャナを備え、ホワイトボード面をスライドさせてスキャナで読み取り、画像データとして保存する必要がある。この場合、ホワイトボード面を回転させる機構が必要であるという問題点があった。【０００７】
また、筆記された文字等を読み取るために毎回スキャナで読み取りを行う必要があるため、文字等を記入しながらリアルタイムに読み取ることができず、即応性がないという問題があった。【０００８】
また、スキャナとホワイトボード面を回転させる機構を備えるため、装置が複雑となり、コストダウンを図ることが難しい。【０００９】
そこで、この発明は、以上のような事情を考慮してなされたものであり、スキャナやホワイトボード面を回転させる機構を備えることなく、簡易な構成で、筆記入力を可能とする筆記入力装置を提供することを目的とする。
【課題を解決するための手段】
【００１０】
この発明は、マーカペンで筆記することにより、表面にインクで筆記情報を記入することが可能なマーカ面部材と、前記マーカ面部材の裏面に配置され、かつ前記筆記の際に前記マーカペンが接触した位置の情報を取得するタッチセンサ部材と、前記マーカペンが前記マーカ面部材に接触した位置の情報から、前記筆記情報に対応する入力情報を生成する入力情報生成部とを備えることを特徴とする筆記入力装置を提供するものである。【００１１】
また、前記タッチセンサ部材は、静電容量方式のタッチセンサであることを特徴とする。
また、前記タッチセンサ部材は、インクを含んだ前記マーカペンの先端部が前記マーカ面部材の表面に接触することによる静電容量の変化を検出することを特徴とする。【００１２】
また、前記インクは、溶媒の主成分の比誘電率が１０以上であることを特徴とする。
また、前記マーカ面部材は、樹脂材料からなることを特徴とする。
また、前記マーカ面部材の厚さは１．０ｍｍ以上、１０．０ｍｍ以下であることを特徴とする。【００１３】
また、前記タッチセンサ部材を保護する保護部材をさらに備え、前記保護部材が、前記タッチセンサ部材の前記マーカ部材が位置する側の面とは反対側の面に配置されることを特徴とする。
また、前記保護部材は、発泡性樹脂またはコルゲート板からなることを特徴とする。
また、前記保護部材の厚さは１０．０ｍｍ以上、５０．０ｍｍ以下であることを特徴とする。【００１４】
また、前記入力情報生成部は、静電容量の変化が、所定の第１のしきい値より大きく、所定の第2のしきい値より小さい場合に、接触された操作を入力操作であると判定し、第2のしきい値よりも大きい変化であった場合は、接触された操作を入力操作以外であると判定することを特徴とする。【００１５】
また、前記入力情報生成部は、静電容量の変化の大きさを利用して入力操作と消去操作とを判別し、消去操作がされたと判定した場合は、消去操作がされた部分に対応する入力情報を消去することを特徴とする。【００１６】
また、前記消去操作は、消去部材により行われるものであって、前記消去部材は、所定面積以上の大きさを持ち、前記マーカ面部材上で静電容量の変化を発生させるための導電性部材と、前記マーカ面部材に記入されたマーカペンのインクを消去するための拭き取り部とを備え、前記消去操作がされた場合、前記拭き取り部によって前記マーカ面部材の表面に記入された筆記情報が消去されると同時に、前記消去操作がされた部分に対応する入力情報が消去されることを特徴とする。【００１７】
また、前記入力情報を、外部機器に送信する通信部を、さらに備えたことを特徴とする。
また、前記入力情報は、前記マーカペンが前記マーカ面部材に接触した位置の入力座標データ、および前記入力座標データを利用して生成された画像データであり、前記入力座標データに加えて、接触状態を区別可能な情報である属性情報を含むことを特徴とする。【００１８】
また、この発明は、筆記によって情報を記入することが可能なマーカボードフィルムと、前記マーカボードフィルムの裏面に配置されかつ前記記入によって接触された位置の静電容量の情報を取得するタッチセンサとからなる入力部と、前記タッチセンサによって取得された情報から静電容量の変化を検知する容量変化検知部と、前記検知された静電容量の変化に基づいて、接触された領域の位置を検出し、その位置の入力座標データを取得する接触位置検出部と、前記検知された静電容量の変化に基づいて、接触された領域の形状を判定する形状判定部と、前記取得された入力座標データと前記判定された形状に基づいて、筆記入力された描画情報を記憶する記憶部とを備えたことを特徴とする筆記入力装置を提供するものである。
【発明の効果】
【００１９】
この発明によれば、簡易かつ安価な構成で、筆記入力が可能な筆記入力装置を提供することができる。
また、ユーザが、マーカボードフィルムに筆記情報を記入した場合、マーカボードフィルムの裏面に配置されたタッチセンサによって取得された情報から検知された静電容量の変化に基づいて、接触された領域の位置を検出してその位置の入力座標データを取得し、接触された領域の形状を判定し、取得された入力座標データと前記判定された形状に基づいて、筆記入力された描画情報を記憶するので、スキャナやホワイトボード面の回転機構等の特別な描画情報を取得するための構成を備えることなく、簡易かつ安価な構成で、筆記入力を可能とし、筆記入力された情報を記憶して、筆記入力された情報の再利用性を向上させることができる。
【図面の簡単な説明】
【００２０】
【図１】この発明の筆記入力装置の一実施例の概略構成図である。
【図２】静電容量方式のタッチパネルの説明図である。
【図３】この発明の筆記入力装置の一実施例の構成ブロック図である。
【図４】マーカペンを用いた筆記入力の一実施例の説明図である。
【図５】マーカペンを用いた筆記入力の一実施例の説明図である。
【図６】連続動作で描画した文字の出力座標データをプロットした説明図である。
【図７】筆記入力された線分の消去処理の説明図である。
【図８】消去部材（消しゴム）の構成の一実施例の説明図である。
【図９】形状判定部が行う形状判定処理の一実施例の概略説明図である。
【図１０】ペン入力における静電容量の大きさ（容量信号値）の一実施例のグラフである。
【図１１】消しゴム入力における静電容量の大きさ（容量信号値）の一実施例のグラフである。
【図１２】容量信号値の半値幅による判定を示す一実施例のグラフである。
【図１３】筆記入力装置の筆記入力時の記憶処理の一実施例のフローチャートである。
【図１４】一時記憶された入力座標データなどを、履歴として保存する処理の一実施例のフローチャートである。
【図１５】入力形態の判定処理の一実施例のフローチャートである。
【図１６】保存された描画情報を、所定の送信先に送信する処理の一実施例のフローチャートである。
【図１７】タッチセンサの一実施例の概略構造図である。
【図１８】この発明の筆記入力装置の第２実施例の構成図である。
【図１９】マーカボードフィルムにマーカペンで斜めの直線を描画した場合に、取得された入力座標データを用いて、再現した描画結果の説明図である。
【図２０】ガラスを挿入した場合の再現した描画結果の説明図である。
【図２１】図19の描画結果を、XセンサとYセンサの座標系で表示した説明図である。
【図２２】がたつきを持つ線分を、近似直線を用いて補正した描画結果の説明図である。
【図２３】この発明の筆記入力装置の一実施例の概略構成図である。
【発明を実施するための形態】
【００２１】
以下、図面を使用して本発明の実施の形態を説明する。なお、以下の実施例の記載によって、この発明が限定されるものではない。
＜第１実施例：マーカボードフィルムを用いた筆記入力装置の構成＞
図１に、この発明の筆記入力装置の一実施例の概略構成図を示す。
図１は、図３で後述する筆記入力装置１００の入力部１０に相当する部分であり、説明のために、構成要素ごとに分解した斜視図を示している。
ここで、筆記入力装置１００の入力部１０は、マーカボードフィルム１、静電容量センサ（Ｘ）2aと静電容量センサ（Ｙ）2bからなるタッチセンサ２、およびPETフィルム３ａなどの保護部材3を、その順に積層したものを示している。筆記入力装置１００は、この入力部１０に加え、入力部１０から筆記入力に関する情報を取得する図示しない制御装置を含むものである。
【００２２】
マーカボードフィルム１は、筆記によって情報を記入することが可能なボードであり、ユーザが文字や図形等を直接筆記入力する部分である。
一般的に市販されているホワイトボード用のマーカペンで筆記でき、所定の消去部材（消しゴム）やユーザの指などを用いて筆記された情報の消去ができるように、表面加工を施してあるフィルムである。材質としては、塩化ビニル樹脂などの材料を用いたものでよい。
【００２３】
タッチセンサ２は、ユーザがマーカペン等を入力用器具として用いて筆記入力をした場合に、接触された位置の情報を取得する部分であり、原理的には、静電容量方式、抵抗膜方式、表面弾性波方式、電磁誘導方式など、接触を検知するための様々な方式のタッチセンサを用いることができる。
【００２４】
ただし、本実施例においては静電容量方式を採用した例を用いて説明する。
マーカペンのインクは微弱ながらも導電性を持っているので、インクを含んだマーカペンの先端部が記入面に接触した場合、インクが記入面に触れることにより静電容量の変化が発生する。そこで、発明者らは、検討の結果、マーカペンと静電容量方式のタッチセンサとを組み合わせることにより、マーカペンが接触した位置を、筆記によりインクが塗布された形状のとおり、他の方式に比べて精度よく検出できることを見出した。
【００２５】
なお、発明者らの検討の結果、静電容量方式を用いる場合、静電容量の変化を精度よく検出するためには、マーカペンのインクの比誘電率が１０以上であることが望ましいことを見出した。インクの比誘電率は溶媒の主成分、すなわち溶媒成分の中で最も重量比率の大きい成分の比誘電率とほぼ同一であることから、この比誘電率の条件は水やアルコールを溶媒の主成分とすることで実現することができる。
【００２６】
本実施形態においては、タッチセンサ２は、主として、１組の静電容量センサ（静電容量センサ2a（以下、Ｘセンサとも呼ぶ）と、静電容量センサ2b（以下、Yセンサとも呼ぶ））からなる。
また、タッチセンサ２は、マーカボードフィルム１の裏面に配置され、マーカボードフィルムに対する記入によって接触された位置の静電容量の情報を取得する。
前記タッチセンサを構成する１組の静電容量センサは、互いに直交する電極ラインからなる２つの静電容量センサ（Xセンサ2a、Yセンサ2b）であり、２つの静電容量センサは、前記マーカボードフィルムの裏面に接触するように積層配置される。
【００２７】
２つの静電容量センサ（Xセンサ2a、Yセンサ2b）は、互いに直交する２つの軸（X軸、Y軸）の一方の軸に沿って平行に配列され、静電容量の変化を検出する電極ラインからなる。どちらの静電容量センサも、基材となるＰＥＴ（ポリエチレンテレフタレート）に、それぞれ静電容量の変化を検出するための電極が形成されており、これらの電極が互いに直交するように構成されている。
Ｘセンサの電極ラインとＹセンサの電極ラインの交差する領域が、１つのセンサの位置に対応し、複数のセンサが、マトリクス状に配置されている。２つの静電容量センサの電極ラインが交差する領域の静電容量の情報が取得され、取得された静電容量の情報は、後述するセンサ駆動部に出力される。
【００２８】
マーカペン等によってマーカボードフィルム１に接触された場合、直交するＸセンサの電極と、Ｙセンサの電極の間に形成される相互容量の容量変化を検出することにより、その接触があったことを検出する。
静電容量センサ（Ｘセンサ）2aは、接触された位置のX軸方向の座標を検出するものであり、静電容量センサ（Ｙセンサ）2bは、接触された位置のY軸方向の座標を検出するものである。
静電容量センサの材料や形状としては、透明かつ導電性のあるＩＴＯ（酸化インジウムスズ、tin-doped indium oxide）膜のほかに、メッシュ構造の銅線や、ナノワイヤ状の銀線などを用いてもよい。
【００２９】
また、１枚のＰＥＴの両面に、Ｘセンサと、Ｙセンサを形成してもよい。
図１７に、タッチセンサ２の一実施例の概略構造図を示す。
ここでは、１枚のＰＥＴの表面にＸセンサを配置し、そのＰＥＴの裏面にＹセンサを形成したものを示している。Ｘセンサは、横方向に細長い複数の電極ラインを縦方向に配列している。Yセンサは、縦方向に細長い複数の電極ラインを横方向に配列している。Ｘセンサの電極ラインと、Yセンサの電極ラインとの交差点の領域が、１つのセンサを形成する。また、１つの電極ラインは、図の左下に示すように、メッシュ構造で形成される。各電極ラインから引き出された配線が集められ、後述するセンサ駆動部に接続される。
【００３０】
保護部材3は、タッチセンサ２を保護する部材であり、マーカボードフィルムとタッチセンサ２が接触する面と異なる面であって、タッチセンサ２に接触するように積層配置される。保護部材3としては、たとえば、PETフィルム3aが用いられる。
PETフィルム3aは、タッチセンサ２の背面からタッチセンサ２を保護する部材であり、この筆記入力装置を、ホワイトボードや教室の黒板として用いる場合には、マーカボードフィルム１とは逆の裏面に形成する。
ただし、裏面に、壁、板、机などを、裏面の保護部材として利用するか、別途保護部材として代用できるものをタッチセンサ２の裏面に取り付ける場合は、保護部材3は、配置しなくてもかまわない。
この場合は、たとえば、マーカボードフィルム１と、静電容量センサ（Ｘ）2aと静電容量センサ（Ｙ）2bとからなるタッチセンサ２によって構成される部分を、壁などに貼り付けるか、あるいは、机の上に置くことにより、筆記入力をすることができる。
【００３１】
保護部材3の無い構成は、比較的軽量で、設置場所を固定することはなく、筆記入力をするマーカボードフィルム１のサイズが小型のものは、ユーザが携帯可能である。また、筆記入力をするマーカボードフィルム１は、通常長方形状であるが、各電極ラインから引き出された配線が集められセンサ駆動部に接続される部分を残して、不要なタッチセンサ２の部分を切り取ることによって、自由にサイズを小さくすることができ、また、長方形以外の形状に切り取ることもできる。すなわち、小型軽量で携帯可能であって、設置する場所を鑑みて、ユーザが自由にその大きさと形状を設定できる筆記入力装置を構成することができる。
【００３２】
図２に、静電容量方式のタッチパネルの説明図を示す。
図２において、マーカボードフィルム１と、その背面に配置されるタッチセンサ２を示している。
ただし、タッチセンサ２は、実際は、マーカボードフィルム１の裏側に接して配置されているが、ここでは、説明のために、マーカボードフィルム１とタッチセンサ２とをずらして図示している。
一般に、タッチパネルは、１画面毎（フレーム毎）に表示面の裏にあるタッチセンサを走査して、接触された位置の座標を検出する。以下、静電容量センサで走査を行っている画面を走査面と記載する。
【００３３】
導電性を有する物体が走査面に近接すると、この物体が近接した位置における静電容量が変化し、他の位置と比較して異なることとなる。この静電容量が変化した位置の座標を検出する。
上記したように、タッチセンサ２は、直交するX軸とY軸の方向に、マトリックス状に配置された２つの静電容量ラインセンサであり、このラインセンサと近接する物体との間の静電容量を検出することにより、接触された位置の座標を検出し、さらに、接触された位置が、所定の面積を有する場合、近接する物体の形状を検出することも可能である。
【００３４】
図２において、たとえば、横方向のＸ軸の解像度を４０９６ドットとし、縦方向のＹ軸の解像度を２１６０ドットとすると、4096×2160個のセンサ位置を区別して検出することが可能である。
ＸＹ座標（Ｘ，Ｙ）として、左上を(0,0)、右下を(4095, 2159)とすれば、タッチセンサ２から、それぞれの座標に対して静電容量が検出される。
導電性を有する物体は本装置の入力用器具として使用することができ、導電性を有する物体の例としては、導電性のインクで線を描く専用マーカペンや、消去部材（消しゴム）や、人の指先等が挙げられる。
【００３５】
図３に、この発明の手書き入力装置の一実施例の構成ブロック図を示す。
図３において、この発明の手書き入力装置１００は、主として、入力部１０、センサ駆動部１１、容量変化検知部１２，形状判定部１３、接触位置検出部１４、移動量取得部１５、通信部１６、入力座標補正部１７、記憶部２０を備える。
入力部１０以外の他の構成要素は、上記した制御装置に含まれる。
また、手書き入力装置１００は、ネットワーク４０を介して、遠隔地の建物や、同じ建物の他の部屋や他の部署内に設置された外部機器３０に接続し、手書き入力された情報を、外部機器３０に送信する機能を備えてもよい。
外部機器３０とは、たとえば、表示装置３１，プリンタ３２、サーバ３３などである。
表示装置３１としては、テレビ画面程度のサイズのモニタ装置や、遠隔地のテレビ会議で使用するディスプレイや、多数の視聴者が見る大型のディスプレイや、プロジェクタなどがある。
【００３６】
また、図示しないが、手書き入力装置の制御部として、ＣＰＵ、ＲＯＭ、ＲＡＭ、Ｉ／Ｏコントローラ、タイマー等からなるマイクロコンピュータを備え、上記した入力部１０、センサ駆動部１１などの各構成要素の動作を制御する。
ＣＰＵは、ＲＯＭ等に予め格納された制御プログラムに基づいて、各種ハードウェアを有機的に動作させて、この発明の手書き入力機能、形状判定機能、通信機能などを実行する。
【００３７】
入力部１０は、図１に示したように、マーカボードフィルム１、静電容量センサ（Ｘ）2aと静電容量センサ（Ｙ）2bからなるタッチセンサ２、およびPETフィルム3aなどの保護部材3から構成される。
センサ駆動部１１は、タッチセンサ２を構成する２つの静電容量センサを駆動する部分であり、静電容量センサから出力される静電容量の情報を取得する。センサ駆動部１１は、たとえば、単位時間あたりに静電容量センサが検出するフレーム数を表すフレームレートの速度で、静電容量センサを駆動する。
【００３８】
容量変化検知部１２は、タッチセンサ２によって取得された情報から静電容量の変化を検知する部分であり、各センサ位置において、取得された静電容量の変化があった場合、そのセンサ位置において、接触入力がなされたことを検出する。
【００３９】
形状判定部１３は、容量変化検知部１２によって検知された静電容量の変化に基づいて、接触された物体の形状を反映してセンサが反応する領域（物体）の形状を判定する部分である。また、主として、判定された形状の大きさにより、手書き入力に利用された物体が、ペンであるか、指であるか、ユーザの手入力（手付き、即ち意図しない接触）であるか、消しゴムであるかを判定する。ただし、物体を判定するセンサの検知結果としての形状の種類はこれらに限られるものではなく、他の物体を別の種類として、区別して判定してもよい。
【００４０】
接触位置検出部１４は、マーカボードフィルム１に対する接触位置を検出する部分であり、検知された静電容量の変化に基づいて、手書き入力操作を行った入力部材（ペン、指、消しゴムなど）によって接触された領域の位置を検出し、その手書き入力された位置の入力座標データを取得する。
また、入力座標データと、形状判定部１３によって判断されたペン、指、手付き、消しゴムといった属性情報とを対応づけて、描画情報を生成する。
移動量取得部１５は、フレーム毎の接触位置の位置情報に基づいて、互いに連続するフレーム間の接触位置の移動量（距離）を、フレーム毎に取得する部分である。
【００４１】
通信部１６は、記憶部に記憶された描画情報を、外部機器に送信する部分である。
また、マーカボードフィルムに対して現在手書き入力操作によって記入されている最新情報を、リアルタイムで、外部機器に送信する。
外部機器には、上記したネットワークを介して接続されたサーバ、表示装置、プリンタ以外に、USBメモリや外付けハードディスクなどの記憶媒体、パソコンや携帯端末などの情報処理装置を含む。
例えば、ユーザが所定の機能を実行する入力操作をした場合や、電源を切断する入力操作をした場合に、描画情報をメールに添付して、所定の送信先アドレスに送信する。また、ネットワークを介して、描画情報を、外部機器の表示装置、サーバ、あるいはプリンタに送信してもよい。さらに、描画情報をＵＳＢメモリなどの外部媒体にコピーしてもよい。
【００４２】
入力座標補正部１７は、取得された入力座標データを補正する部分である。
特に、記憶部に記憶された描画情報に含まれる複数の入力座標データを繋いで生成される線分が、周期的な微小な変化を持つ線分である場合、その複数の入力座標データを、所定の近似直線を用いて補正する。
マーカボードフィルム１とタッチセンサ２を積層してマーカボードを構成した場合、マーカボードフィルムと入力ペンとの接触面と、タッチセンサとの距離が近接するため、同じセンサラインであっても、接触する場所によって取得される静電容量の信号レベルが大きく異なる場合がある。
また、ユーザがマーカペンで描画したラインは、インクで描かれ視覚的に連続したアナログ情報であるが、電子黒板等で取得される入力座標データは、離散的なデジタル情報である。このため、もし、マーカペンで斜めの直線を描画した場合、マーカで描画したラインと、実際に取得された入力座標データを繋いで再現したラインとを比較すると、再現したラインは、なめらかな直線ではなく、周期的な微小な階段状のがたつきを持つ線分に見える場合がある。
そこで、後述するように、取得された入力座標データが周期的ながたつきを持つ場合は、できるだけがたつきの目立たない線分とするために、所定の近似直線などの補完関数を用いて、入力座標データを後述する補正方法によって補正することができる。
【００４３】
記憶部２０は、手書き入力された情報を記憶する部分であり、主として、取得された入力座標データと判定された形状とに基づいて、手書き入力された描画情報を記憶する。
描画情報は、接触位置検出部によって即時的に取得される入力座標データ２１や、入力座標データを利用して生成された画像データ２２などからなり、これらのデータには、属性情報（ペン、指、手付き、消しゴムなどの区別情報）を含めてもよい。描画情報は、手書き入力操作がされるごとに、即時的に更新される。
また、記憶部２０は、手書き入力装置の各機能を実行するために必要な情報やプログラムを記憶し、ＲＯＭ、ＲＡＭ、フラッシュメモリなどの半導体記憶素子、ＨＤＤ、ＳＳＤなどの記憶装置、その他の記憶媒体が用いられる。
描画情報は、定期的に更新記憶される情報なので、書き換え可能なＲＡＭや、ＨＤＤに記憶される。また、ユーザの保存指示操作などによって描画情報の履歴を長期保存する場合は、ＨＤＤなどの不揮発性の記憶装置や記憶媒体に記憶される。
【００４４】
また、これ以外の構成を備えてもよい。
たとえば、上記入力部は筆記入力をする部分として説明したが、描画情報の保存指示や、データ送信要求や、電源切断などの操作をユーザがするための操作入力部を備えることが好ましい。
また、後述するように、記憶部に記憶されていた描画情報を利用して、筆記入力された情報のうち文字に相当する部分を抽出して、筆記入力された文字を認識する文字認識部を備えてもよい。また、後述するように、文字認識された結果を用いて、キーワード抽出機能を実行する構成を備えてもよい。
【００４５】
＜保存される描画情報の説明＞
以下に、保存される描画情報の内容について、説明する。
図４に、マーカペンを用いた筆記入力の一実施例の説明図を示す。
図４(ａ)には、マーカペンを用いてマーカボードフィルム１に線分を描画している状態を示している。
図４（ｂ）は、接触位置検出部１４の結果をもとに保存される描画情報を示している。
図４（ｂ）では、入力操作により取得した入力座標データを利用して即時的に生成された画像データ２２が逐次保存しているものである。すなわち、保存されるデータは、画像データ２２を対象とする。
【００４６】
図４(ａ)のように、マーカボードフィルム１が、80インチの液晶ディスプレイサイズに相当するマーカボードを考えると、描画領域は、横（Y軸方向）が約1800mmで、縦（X軸方向）が約1020ｍｍ程度の大きさとなる。
例えば、隣接するセンサ間の距離であるセンサーピッチを7.65mmで電極線を配置すると、センサ電極ラインは長辺方向（Y軸方向）に235本、短辺方向（X軸方向）に133本が配置される。
タッチセンサの検出分解能が8bit（＝２５６）の場合、１ビットの差を判定できる距離は、
7.65mm（センサーピッチ）  ÷  256（検出分解能8bit） ＝0.03mm
となりこの長さで位置判定ができることとなる。
すなわち、0.03mm位置が変わるごとに、その位置固有の静電容量として、とらえることが可能となる。
しかし、この様な高い検出精度で、全ての入力座標データを保存する程、膨大な記憶容量と、迅速な処理能力が要求されるので、実際には、保存された描画情報を再表示する表示装置の解像度を考慮して、検出精度を適宜選択して保存することが好ましい。
【００４７】
たとえば、保存した描画結果を、Full-HD(1920画素×1080画素)のディスプレイで表示することを前提として画像データを再表示する場合、80インチFull-HDのディスプレイのドットピッチ（1画素のサイズ）は0.922mm、精細度は27.536ppiであるから、これは上記した分解能０．０３ｍｍに照らし合わせてみても約30倍の大きさであるので、画像データを保存するときの精度を落として約１／３０に間引いて保存しても、再表示したときの表示画質の劣化は、ほとんど観測されない。
【００４８】
しかし、上記のようにFull-HDの精細度で保存した画像データを、同サイズの4K UHD(3840画素×2160画素)や同サイズの8K UHD(7680画素×4320画素)のディスプレイで再表示した場合は、2画素、あるいは4画素に1画素の情報しか保存されていないことになるため、描画内容を再表示した際の画質が劣化してしまう。すなわち、より高精細のディスプレイで再表示する機会がある場合は、タッチセンサの分解能を十分に考慮し、再表示した際の画質劣化が生じないように、高精細な画像データとして保存したほうがよい。
これは、従来のタッチパネルでは、タッチパネルに描画した画像を表示変換した後、データ保存すると、ディスプレイの分解能で再表示する精細度が決まってしまうのであるが、本発明では、その様な不具合を生じない設定が可能となることを意味する。
たとえば、表示画質の劣化がほとんど観測されないようにするためには、安全を見越して8K UHDの2倍の情報量である、15360画素×8640画素分の画像データを保存しておくことが好ましい。
このようにすれば、一般的に用いられているFull-HDに対して8倍、4K UHDに対して4倍のデータ量の描画情報が保存されるため、非常に再利用性の高い描画情報を保存することができる。
【００４９】
以上には、描画情報を画像データとして保存する場合を説明したが、これ以外に、入力座標データ２１そのものを保存し、必要に応じて筆記データに再生するものであってもよい。
図５に、図４と同様に、マーカペンを用いた筆記入力の一実施例の説明図を示す。
図5(a)には、図4(a)と同様に、マーカペンを用いてマーカボードフィルム１に線分を描画している状態を示している。
図５（b）は、接触位置検出部１４の結果をもとに保存される描画情報を示している。
ここでは、描画情報として、筆記入力された線分の入力座標データ２１が保存されることを示している。特に、XセンサとYセンサの位置を直交する軸に設定したセンサ座標系のデータを保存する。
【００５０】
また、描画情報としては、入力座標データ２１に加えて、属性情報を付加して記憶してもよい。
属性情報は、接触状態を区別可能な情報である。属性情報としては、たとえば、接触位置を区別するための接触IDや、接触の始まりを示すタッチイン、タッチの終わりを示すタッチアウトといった情報を記憶してもよい。これにより、必要に応じて、この保存された描画情報から、図4(b)のような描画データを再生することができるため、非常に再利用性の高い情報として保存することができる。
【００５１】
図６に、実際に「１０」という文字を入力した場合の入力座標データをプロットした説明図を示す。
ここで、座標情報とともに、タッチイン、タッチアウトの属性情報を保持しておくことで、ユーザからの再表示要求時に、これらの属性情報を元に、座標データを繋ぐことで、描画結果を再生することができる。
図６では、 “１”，“０”ともに一人の操作者が描画した結果であることを示す接触ＩＤ＝０が記録されている。
2人の操作者で同時に描画するような、いわゆるマルチタッチの場合には、接触位置を区別するために、それぞれの描画情報に異なる接触IDを付与することで、それぞれの描画情報を分離することができる。
属性情報は、上記の情報に限るものではなく、例えば、ペンの色や太さ（筆圧）などの情報を、属性情報として利用してもよい。
【００５２】
＜描画情報の消去の説明＞
図７に、筆記入力された線分の消去処理の説明図を示す。
図７(a)に、マーカペンで筆記入力された線分の描画結果の例を示す。
図７(b)に示すように、消去部材（消しゴム）を用いて、マーカペンで筆記入力された線分の一部を上からなぞり、消去する。
図７(c)には、消去部材（消しゴム）を用いて、筆記入力された線分の一部を消去した結果を示している。
図７(d)には、筆記入力された線分の一部を消去した後に、保存される描画情報（入力座標データ）を示している。消去部材（消しゴム）の消去操作により、記憶されていた描画情報のうち、消去操作がされた部分の線分に相当する入力座標データは、即時的に消去される。
【００５３】
消去部材（消しゴム）は、マーカペンで筆記入力された線分のインクが消去できるようなフェルト等の素材を備えた静電容量対応の器具である。
図８に、消去部材（消しゴム）の構成の一実施例を示す。
図８(a)に示すように、消去部材（消しゴム）５１は、主として、静電容量の変化により消しゴムと判別するための導電性部材５２と、マーカボードフィルムに記入されたマーカペンのインクを消去する（拭き取る）ためのフェルト５４とから構成されている。
フェルト５４が形成されている下面が、マーカボードフィルム１に接する面である。
導電性部材５２は、マーカペン等に比べて比較的大きな所定面積以上の大きさを持ち、かつ前記容量変化検知部が静電容量の変化を検出するための材料で形成された部材である。
たとえば、ユーザが消去部材５１を持ち、消去部材によって、マーカボードフィルムにすでに記入されていた筆記情報を消去する操作をした場合、フェルトによって、消去操作がされた部分の筆記情報が消去される。さらに、この消去操作の結果に従って、記憶部に記憶されていた描画情報のうち、消去操作がされた部分の筆記情報に対応する描画情報が消去される。
【００５４】
図８（a）の消去部材５１は、比較的大きな面積を持つ導電性部材５２が形成されているため、比較的大きな面積の接触で、その接触入力位置が一定量以上移動することを検出した場合、消去部材５１として認識され、描画情報のうち該当領域の消去が実行される。すなわち、記憶部２０に記憶されていた入力座標データのうち、消しゴム５１で接触された部分の情報が、記憶部２０から消去される。
また、マーカボードフィルム１の表面に筆記入力されていた線分は、ユーザの意図した消去操作によって実際に消去されるので、ユーザが見ている視覚情報と、消去操作後に記憶部２０に記憶された描画情報とが一致する。
【００５５】
図８（b）及び図８（c）に、消去部材（消しゴム）５１の他の構成例を示す。
図８（b）は、側面から見た図であり、消去部材５１とフェルト５４との間の中間部分に非導電性部材５３を設け、非導電性部材５３が形成されている中間部分に、５つの導電性部材５２を配置している。図８（c）は、図８（b）の消去部材５１を、導電性部材５２が形成されている上面側から見た図であり、中間部分の５つの導電性部材５２の配置を示している。
図８(b)の場合は、一定距離だけ離れた位置に配置された複数の導電性部材５２の接触を検出することによって、接触された物体は、消しゴムとして認識される。たとえば、一定距離だけ離れた5点の位置、あるいは３点の位置に、接触を検出した場合に、消しゴム５１として認識することにより、描画情報の該当領域の消去を実施する。
この場合も、記憶されていた入力座標データのうち、消しゴムで接触された部分の情報が記憶部２０から消去され、マーカボードフィルム１の表面に筆記入力されていた線分は、ユーザの意図した消去操作によって実際に消去されるので、ユーザが見ている視覚情報と、消去操作後に記憶部２０に記憶された描画情報とが一致する。
【００５６】
＜形状判定処理の説明＞
入力操作が、ペン入力であれば入力座標データは追加され、消去入力であれば入力座標データが削除される。入力座標データの追加・削除を決定する入力操作の判定について以下に説明する。
図９に、形状判定部１３が行う形状判定処理の一実施例の概略説明図を示す。
図９(a)に、マーカボードフィルム１の表面に、マーカペン５０を用いて、線分を筆記入力しているイメージを示す。
図９（b）に、マーカボードフィルム１の表面に、消しゴム５１を用いて、筆記入力された線分を消去しているイメージを示す。
図９(c)に、マーカペン５０を用いて線分を筆記入力した場合における、静電容量の大きさの変化例の説明図を示す。
図９(d)に、消しゴム５１を用いて筆記入力された線分を消去した場合における、静電容量の大きさの変化例の説明図を示す。
【００５７】
図９(c)に示すように、一般的にマーカペン５０のような接触面が小さい物体が接触した場合、静電容量の大きさC1の変化は小さく、容量変化の山の広がりW1は狭い傾向にある。一方、図９(d)に示すように、消しゴム５１のような接触面が大きい物体が接触した場合は多くのセンサが反応するので、静電容量の大きさC２の変化は大きく、容量変化の山の広がりW2も広い傾向にある。消しゴム５１以外に、たとえは、指や、手の甲、掌などで接触した場合も、図８(d)のような静電容量の大きさの変化となる。
【００５８】
そこで、静電容量の変化にしきい値を設定し、実際に検出された容量変化の大きさと、しきい値との比較によって、接触された物体の形状を判定することができる。
たとえば、図９(c)に示すように、マーカペン５０のような接触面が小さい物体が接触した場合のしきい値SK1（第１のしきい値）を予め設定し、図９(d)に示すように、消しゴム５１のような接触面が大きい物体が接触した場合のしきい値SK2（第2のしきい値）を予め設定する。ここで、SK1＜SK2である。
図９の場合、形状判定部１３は、実際に検知された静電容量の変化の大きさが、所定の第１のしきい値SK1より大きく、所定の第2のしきい値SK2より小さい場合に、接触された物体はマーカペン５０であると判定する。すなわち、接触された操作は、マーカペンによる筆記入力操作であると判定する。
また、実際に検知された静電容量の変化の大きさが、第2のしきい値SK2よりも大きい変化であった場合は、接触された物体はマーカペン５０以外であると判定する。すなわち、接触された操作は、筆記入力操作以外であると判定する。
これにより、マーカペン５０による筆記入力と、その他の入力とを区別することができる。
【００５９】
接触がその他の入力であると判定された場合においては、主として、次の2通りの接触による静電容量の変化が存在すると考えられる。
A）  指やお手付きといった描画を意図しない接触による容量変化
B）  消しゴムでの消去を目的とした接触による容量変化
この2通りの接触は、たとえば、次のようにして、区別することができる。
まずB)と判定されるものについては、タッチイン時に第2のしきい値SK2以上の接触が所定距離内に集中している場合、その接触は、消しゴムであると判定する。すなわち、検知された静電容量の変化が、マーカボードフィルム上の所定の距離内において、所定の第2のしきい値以上の大きさを持つ変化であった場合、単一の操作と見做し、接触された物体は消去部材であると判定する。すなわち、接触された操作は、消去部材による消去操作であると判定する。
また、複数フレーム期間中、あるいは、所定時間内に、一定量の距離以上の接触入力位置の移動があった場合も、その接触は、消しゴムであると判定する。
【００６０】
A)と判定されるものは上記B)と判定される以外のものであり、たとえば、所定時間内における接触入力位置の移動が、上記一定量の距離よりも小さい場合が相当し、A)の指やお手付きといった描画を意図しない操作がなされたと判断する。
以上の判断によって、消しゴムによる消去操作であるか、指などによる描画を意図しない操作であるかを、区別することができる。
【００６１】
また、接触物体の区別は、上記以外にも、取得される静電容量の大きさ（容量信号値）と、容量変化が検出された面積との関係で判断することもできる。
図１０と図１１に、２つの静電容量センサ（Xセンサ、Yセンサ）の交差する位置における静電容量の大きさ（容量信号値）の一実施例のグラフを示す。
容量信号値が変化している位置が、接触のあった位置である。
【００６２】
図１０は、マーカペン５０によって接触された場合の容量信号値を示し、図１１は、消しゴム５１によって接触された場合の容量信号値の一実施例のグラフを示している。
マーカペン５０による接触の場合は、図１０のように、信号の大きさは比較的小さく、その山の幅は２から３センサ程度の幅を持っている。すなわち、信号の大きさは小さく、接触面積も小さい。
一方、消しゴム５１による接触の場合は、図１１のように、信号の大きさは比較的大きく、その山の幅は１０センサ以上の幅を有する。すなわち、信号の大きさは大きく、接触面積も大きい。
【００６３】
図１２に、容量信号値の一実施例のグラフを示す。
図１２(a)は、マーカペン５０による容量信号値の変化の一実施例のグラフである。
図１２(b)は、消しゴム５１による容量信号値の変化の一実施例のグラフである。
図１２(a)に示すように、接触面積が小さい場合は、容量信号値の変化のピーク値Peakの山の広がりが小さく、図１２(b)に示すように、接触面積が大きい場合は、容量信号値の変化のピーク値Peakの山の広がりが大きい。
そこで、容量変化のピーク値Peakの高さと、ピーク値Peakの半値（Peak/2）に対するセンサの幅Width（いわゆる、半値幅）を利用することによって、接触が、マーカペン５０によるものか、消しゴム５１によるものかを、判断すればよい。
なお、取得された容量信号値の変化が、図１２で示した形状と大きく異なるようなものである場合は、あいまいな接触であると判断し、その接触は無視し、マーカペン５０による描画や消しゴム５１による消去操作としては扱わないようにすればよい。
【００６４】
＜筆記入力時の記憶処理の説明＞
図１３に、この筆記入力装置の筆記入力により入力座標データが形成され、記憶される処理の一実施例のフローチャートを示す。
まず、ステップS1において、センサ駆動部１１が、タッチセンサ２を駆動させる。すなわち、XセンサとYセンサに、ラインごとに、順にスキャンし、所定の電圧を加え、静電容量を取得する。
ステップS２において、上記のようにセンサをスキャンし、静電容量の変化に基づいて検出された接触のあった位置の入力座標データを取得する。
ステップS３において、上記のようにセンサをスキャンし、マーカボードフィルムの全体にわたって、静電容量のデータを一時記憶する。
これにより、接触のあった位置に記憶されていたデータがオーバーライトされ、記憶部２０に更新記憶される。すなわち、取得した入力座標データの位置に対して記憶されていた情報を、現在取得した入力座標データに書き換える。
ステップS２とステップS3の処理は、どちらを先に行ってもよいが、即時的に行われる。
【００６５】
センサのスキャンは、一定の周期で繰り返されるが、ステップS4において、静電容量の変化に基づいて検出された接触の有無をチェックする。ここで、一定の周期に要する時間は、マーカボードフィルムの表面全体を１回スキャンするのにかかる時間に相当する。
静電容量の変化に基づいて検出された接触が継続している場合は、ステップS1に戻り、静電容量の変化に基づいて検出された接触が終了した場合は、ステップS5に進む。
ステップS5において、１ストローク分の画像データが取得されたことになるので、１つのページデータとして、取得された描画情報を記憶する。
以下、ステップS１に戻り、上記処理を、継続して行う。
【００６６】
次に、筆記入力された線分等の情報を、記憶部２０に、履歴として保存する処理について説明する。
図１４に、図１３にて説明した一時記憶された入力座標データなどを、履歴として保存する処理の一実施例のフローチャートを示す。
保存方法としては、ユーザの意思による保存指示入力に基づいて保存処理を実行する場合と、指示入力がない場合において接触入力がなくなってから所定時間が経過した後に自動的に保存処理を実行する場合とがある。図１４は、この両方の保存処理を含むフローを示している。
【００６７】
図１４のステップS11において、接触位置検出部１４が、接触入力があったか否かをチェックする。
接触入力がなければ、ステップS11をループし、接触入力があれば、ステップS12に進む。ステップS12において、保存タイマーを起動させる。保存タイマーの時間は、任意の時間でよく、たとえば、予め１０分に設定してもよい。あるいは、ユーザが、保存タイマーの時間を設定できるようにしてもよい。
ステップS13において、ユーザによる保存指示入力があるか否かをチェックする。
保存指示入力がある場合は、ステップS17に進み、保存指示入力がない場合は、ステップS14に進む。
【００６８】
ステップS14において、接触位置検出部１４が、現在、接触入力があるか否かをチェックする。
接触入力がなければ、ステップS16に進み、接触入力があれば、ステップS15に進む。
ステップS15において、接触入力の有無を示す入力フラグを、接触入力があったことを示す１にセットする。その後、ステップS13に戻る。
入力フラグが１の場合、接触入力が有り、画像の変更があったことを意味し、入力フラグが０の場合、接触入力が無く、画像の変更がなかったことを意味するものとする。
ステップS16において、入力フラグが１であって、かつ、保存タイマーがタイムアウトしたか否かをチェックする。
入力フラグが１であって、かつ、保存タイマーがタイムアウトした場合は、ステップS17に進み、その他の場合は、ステップS13に戻る。
【００６９】
ステップS17において、入力フラグを、０にリセットする。
ステップS18において、現在、一時記憶されている入力座標データなどの描画情報を、履歴として、記憶部２０に、追加保存する。
以上の処理により、筆記入力された描画情報を、ユーザの意図したタイミングか、あるいは、接触入力がなくなってから所定の時間間隔で、保存することができる。
【００７０】
＜筆記入力された物体の判定処理の説明＞
ここでは、上記したように、マーカペン５０と、消しゴム５１と、ユーザの意図しない接触入力である手付きを判定する処理について、説明する。
この判定処理は、主として、形状判定部１３によって行われる処理である。
図１５に、マーカボードに接触した物体の判定処理の一実施例のフローチャートを示す。図１５のステップS31において、接触位置検出部１４が、接触入力があったか否かをチェックする。
接触入力がなければ、ステップS31をループし、接触入力があれば、ステップS32に進む。
【００７１】
ステップS32において、入力数を検出する。
入力数は、１人のユーザの単独による入力操作がされているか、又は、複数のユーザによる入力操作をされているかを識別するために検出する。また、１人のユーザによる複数点での入力操作であった場合、たとえば、ペンによる筆記入力と同時に、ユーザの手入力（手付き）があるか否かを検出するために接触点の距離判定を行う。
２以上の入力数の検出は、たとえば、１０ｃｍ以上離れた位置で、２つ以上の接触入力があるか否かで判断すればよい。
入力数が１の場合は、１人のユーザによって、一つの接触入力がなされていることを意味し、入力数が２の場合は、たとえば複数のユーザによって２箇所の位置で接触入力がなされていることを意味する。
【００７２】
ステップS33において、接触入力された位置の大きさを検出する。接触入力された位置の大きさは、たとえば、取得された静電容量のデータから、接触位置の面積を求めることにより、検出することができる。
ステップS34において、検出された接触入力された位置の大きさから、接触位置に、ペン先が検出されたか否かをチェックする。たとえば、接触入力された位置の大きさが、所定の大きさよりも小さい場合は、ペン先が検出されたと判定する。
ペン先として検出されたと判定した場合は、ステップS39に進み、そうでない場合は、ペン先による描画以外の処理の判定としてステップS35に進む。
【００７３】
ステップS35において、移動量取得部１５が、入力位置の移動距離を検出する。
ステップS36において、所定時間内における入力位置の移動距離が所定の距離設定値以下かどうかを判定する。
たとえは、移動距離が所定の距離設定値以下なら、手付きとして判定して、移動距離が所定の距離設定値よりも大きければ、消去処理目的の接触であると判定する。
【００７４】
ここで、80インチのディスプレイにおいて、30mm角程度の文字を消去するような場合を考える。
画像データを更新保存するかどうかは、たとえば、1秒間の入力位置の移動距離が30mm以下かどうかを判定する。すなわち、所定の距離設定値を、30mmとする。
このとき、フレームレートが２４０Hzであれば、1秒間に240回の描画情報が取得される。全てのフレームにおいて、入力位置の移動距離が３０mm以下であれば、入力位置は静止していると判断する。つまり、その接触は、手付きであると判定する。
一方、全てのフレームにおける入力位置の移動距離が、３０mmより大きければ、その接触は、消しゴム５１によるものであると判定する。
【００７５】
または、1秒間のタッチセンサの入力座標データの移動距離を、センサのピッチを単位として、判定してもよい。
隣接するセンサ間の距離であるセンサーピッチを7.65mmとすると、例えば３０ｍｍの移動距離は、次式より、
30mm  ÷  7.65mm ≒ 4  
すなわち、移動距離が、４センサ分の距離と求められ、所定値として４センサ分の距離を判断基準としてもよい。
この場合も、全てのフレームにおいて、移動距離が４センサ分の距離以下であれば、静止している、つまり手付きであると判定し、４センサ分の距離よりも大きければ、消しゴム５１による接触であると判定する。
【００７６】
ステップS３６において、入力位置の移動距離が所定の距離設定値を越えた場合、ステップS３８に進み、そうでない場合は、ステップS37に進む。
ステップS37において、入力位置の移動距離が所定の距離設定値以下なので、上記のように、ユーザによる手入力（手付き）であると判定する。
ステップS38において、入力位置の移動距離が所定の距離設定値を越えたので、消しゴム５１による接触であると判定する。
【００７７】
ステップS34においてペン先が検出されたと判定された場合、即ち、描画操作と判定された場合、ステップS39に進み、検出された入力数が１か否かチェックする。
入力数が１の場合、ステップS41に進み、そうでない場合は、ステップS40に進む。
ステップS41において、接触入力は、マーカペン５０によるものと判定する。
ステップS40においては、接触入力は、2箇所以上あるので、ペン入力と、ユーザによる手入力（手付き）の両方の入力であると判定し、ペン入力のみを有効とする。
以上のような判定処理により、接触入力の物体が識別され、識別された物体に対応した処理が実行される。識別された物体が、マーカペン５０の場合は、描画情報が記憶され、消しゴム５１の場合は、描画情報の消去が実行される。
【００７８】
＜保存された描画情報の送信処理の説明＞
ここでは、記憶部に保存された描画情報を、メール送信するか、あるいは、設定されたデータ送信先に、送信する処理について説明する。
上記したように、ユーザの保存指示等によって、１つのページデータとして描画情報が、記憶部２０に保存される。
図１６に、保存された描画情報を、所定の送信先に送信する処理の一実施例のフローチャートを示す。
ここでは、ユーザによるデータ送信要求と電源切断の指示入力によって描画情報を送信する場合を示す。ただし、ユーザによる指示入力は、これらに限られるものではなく、他の指示入力であってもよい。また、ユーザによる指示入力がなくても、定期的に描画情報を送信するようにしてもよい。
【００７９】
ステップS51において、ユーザによるデータ送信要求の入力があるか否かをチェックする。
ユーザによるデータ送信要求がある場合は、ステップS57に進み、無い場合は、ステップS52に進む。
ステップS52において、ユーザによる電源切断の入力があるか否かをチェックする。
ユーザによる電源切断の入力がある場合は、ステップS53に進み、無い場合は、ステップS51に戻る。
【００８０】
ステップS53において、保存された描画情報（保存データ）があるか否かをチェックする。
保存された描画情報がある場合は、ステップS54に進み、無い場合は、ステップS56に進む。
ステップS54において、登録された宛先に、描画情報（保存データ）を送信する。
登録された宛先として、メールアドレスが登録されている場合は、描画情報を、所定のメールに添付して送信する。
【００８１】
ステップS55において、描画情報が正常に送信されたか否かを確認する。たとえば、送信先から、受信確認のメールが返信されたか否かをチェックする。
描画情報の送信が正常に完了した場合は、ステップS56に進み、そうでない場合は、ステップS54に戻り、再送信する。再送信を数回繰り返しても送信が正常に完了できない場合は、ステップS56に進む。
ステップS56において、装置の電源を切断して、処理を終了する。
【００８２】
ステップS57において、ステップS53と同様に、保存された描画情報（保存データ）があるか否かをチェックする。
保存された描画情報がある場合は、ステップS58に進み、無い場合は、ステップS５１に戻る。
ステップS58において、データ送信先を確認する。たとえば、データ送信先が、予め記憶部に記憶されていた場合は、その記憶されていたデータ送信先を読み出す。あるいは、データ送信先を、ユーザに問い合わせる表示をして、データ送信先を選択入力してもらってもよい。
【００８３】
ステップS59において、データ送信先に接続する。たとえば、ネットワークを介して、サーバや、他の建物等に設置された大型の表示装置に接続する。
ステップS60において、接続されたデータ送信先に、描画情報（保存データ）を送信する。
ステップS61において、ステップS55と同様に、描画情報が正常に送信されたか否かを確認する。
描画情報の送信が正常に完了した場合は、ステップS５１に戻る。描画情報の送信が正常に完了しなかった場合は、ステップS60に戻り、再送信する。
また、電源切断の指示を、たとえば、ユーザによる印刷指示入力に置き換えることによって、プリンタに描画情報を送信し、描画情報を用紙に印刷することができる。
【００８４】
また、遠隔地に設置されたテレビ会議システムのディスプレイやプロジェクタに、描画情報を送信する場合、すでに保存された情報を送信するのではなく、現在筆記入力中で一時記憶されている描画情報を、リアルタイムで送信するようにする。
これにより、２つ以上の会議室で、現在筆記入力されている描画情報を共有でき、筆記入力されている現場にいる者と、遠隔地に設置されたテレビ会議システムのディスプレイを見ている者に、同じ筆記入力情報を提供して、円滑に会議を進めることができる。
【００８５】
＜文字認識およびキーワード抽出の説明＞
上記した機能に加えて、筆記入力された描画情報の再利用性を高めるために、ユーザが描画した文字情報は、ストローク毎に記憶できるので、文字認識する機能を追加してもよい。
ユーザが描画して保存された描画情報から、文字部分を抽出して、文字認識し、テキスト情報として、記憶する。文字認識をすることにより、ユーザがマーカボードフィルムに描画した筆記の議事録などを清書して残すことができる。
また、文字認識された結果から、ユーザの指定するキーワードを抽出する機能を追加してもよい。キーワード抽出をすることにより、外部のサーバなどにおいて、抽出されたキーワードごとに分類して議事録等のファイリングに適用することができ、これによっても、描画情報の再利用性を高めることができる。
【００８６】
描画情報の文字認識処理は、既存の技術を利用すればよい。
たとえば、主として、ラベリング処理、外接矩形化処理、統合処理、および文字抽出処理を、この順に実行することにより、文字認識を行えばよい。
ラベリング処理は、入力された座標データを、ラベル（番号）を属性として付与することにより、特定の領域を抽出する処理である。
外接矩形化処理は、ラベリング処理で得られたラベル情報から、最大/最小座標を求め、そのラベル情報の外接矩形を求める処理である。
統合処理は、外接矩形化処理にて統合された外接矩形に対して、縦横比率が1.5倍程度の矩形を文字領域候補と設定する処理である。また、縦横比が1.5倍以上の外接矩形に対しては、文字部分候補として設定してもよい。
文字抽出処理は、例えば、統合処理で重なった矩形を1つの矩形に纏める、あるいは、一定画素以内(例えば10画素)にある文字領域候補や、文字部分候補を統合する処理である。以上の処理後、他と統合されなかった文字部分候補はキャンセルすることにより、直線といった文字以外のオブジェクトを除去することができる。
【００８７】
＜座標データの補正の説明＞
上記したように、マーカボードフィルム１とタッチセンサ２を積層してマーカボードを構成した場合、マーカボードフィルムと入力ペンとの接触面と、タッチセンサとの距離が近接するため、入力座標補正部１７によって、取得された入力座標データを補正することが好ましい。
特に、図１7に示したように、タッチセンサの構造が、メッシュ構造となっている場合には、同一センサラインのどの部分をポイントするかによって、静電容量値の変動が発生しやすく、さらに、マーカボードフィルム１とタッチセンサ２との接触面の距離が近ければ近いほど、この影響は顕著となる。
【００８８】
たとえば、マーカペン５０を用いた場合、マーカペン５０の接触位置によっては、取得される静電容量の信号レベルの差は約２倍程度になる。また、消しゴム５１を用いた場合、消しゴム５１による静電容量の信号レベルは、マーカペンの信号レベルの３〜５倍程度の大きさであるが、接触位置による静電容量の信号レベルの差は、マーカペン５０と同程度である。
すなわち、上記のような静電容量値の変動が発生するため、斜めの直線を描画した場合に、実際に取得された入力座標データを繋いで再現したラインは、周期的な階段状のがたつきを持つ線分となるので、入力座標データを補正する必要がある。
【００８９】
図１９に、マーカボードフィルムに定規を45度傾けて固定してマーカペンで描画した場合に、取得された入力座標データを用いて、再現した描画結果を示す。
マーカボードフィルムに描画された線分自体は、当然ながら直線に見えるが、再現された描画結果は、図19のように、センサピッチごとに波打ち、周期的な階段状のがたつきを持つ線分となる。
【００９０】
このように、斜め方向の直線を引いた場合、周期的な階段状のがたつきをなくす１つの方法としては、マーカボードフィルム１とタッチセンサ２の間に、ガラスを挿入することである。
例えば、マーカボードフィルム１とタッチセンサ２との間に、3.2mm厚程度のガラスを挿入すればよい。
図２０に、ガラスを挿入した場合の再現した描画結果を示す。
このように、ガラスを挿入することで、がたつきの影響は軽減される。
【００９１】
また、斜め方向の直線を引いた場合に、周期的な階段状のがたつきをなくす他の方法としては、階段状のがたつきを持つ線分の入力座標データを、所定の補完関数を用いて、線形近似することである。
図21に、  図19の描画結果を、XセンサとYセンサの座標系で表示した図を示す。
図21の横軸がYセンサ方向のセンサ座標であり、縦軸がXセンサ方向のセンサ座標である。各数値は、センサの位置を示す番号に相当する。
ここで、隣接するセンサ間の分解能を2の8乗（２５６）であると仮定すると、接触の検出位置の最小単位は、図２１の右側に示したように、0.0039単位となる。
すなわち、0.0039単位ごとに取得された入力座標データに対し、線形近似を実行する。
線形近似を実行すると、図２２に示したように、階段状のがたつきを持つ線分のほぼ中央を貫くような直線が算出される。
【００９２】
したがって、取得された階段状のがたつきを持つ線分の入力座標データを、算出された直線に相当する入力座標データに置き換えれば、がたつきのある線分が、直線として記憶される。
そして、記憶された描画結果を再現した線分は、マーカボードフィルムに実際に描画された線分と同様に直線として認識できるようになる。
線形近似に用いる補完関数としては、従来技術で用いられているものを用いればよく、一般的な一次関数のほか、２次以上の高次の項を含む多項式を用いてもよい。
【００９３】
＜第２実施例：筆記入力装置の構成＞
図１８に、この発明の筆記入力装置の第２実施例の構成図を示す。
図１８では、この発明の１つの筆記入力装置を、横方向に2台並列した構成を示している。
入力部に相当するマーカボード１Aと、マーカボード１Bの側面同士を接触させて、いわゆるマルチ入力装置を構成する。これにより、筆記入力可能な面積が２倍となる。
マルチ入力装置では、2台並列構成に限ることなく、３台以上の筆記入力装置を縦横に組み合わせることにより、より大きな描画面積の筆記入力システムを構成することができる。
【００９４】
２つのマーカボード（１A、1B）は、それぞれ専用の制御部（A,B）により制御し、２つの制御部は、さらに、マルチボード制御装置に接続されるように構成する。
マルチボード制御装置は、２つのマーカボード（１A、1B）に筆記入力された描画情報を取得して、１つの描画情報として扱うことができるように、画像データあるいは、入力座標データを変換して保存する装置である。
画像データとして保存する場合は、  1枚構成の2倍の情報量として、例えば、30720画素×8640画素分のデータを保存しておく。
【００９５】
また、入力座標データを保存する場合は、それぞれのボードがタッチセンサ座標でデータを出力するため、デバイスIDの属性情報とともに、データを保存しておく。
ここでデバイスIDとは、マーカボード1Aとマーカボード1Bをそれぞれ識別可能なIDであり、たとえば、マーカボード1AのデバイスIDを０１とし、マーカボード1BのデバイスIDを０2とすればよい。それぞれのマーカボードの入力座標データに、それぞれのデバイスIDを付加して記憶する。たとえば、デバイスID＝01が付加された入力座標データは、マーカボード1Aに筆記されたデータであると判別することができる。
保存したデータを再生する際には、デバイスIDに従って、２つのマーカボード全体で1つの描画情報として扱うことができる。
【００９６】
また、図１８に示すように、縦方向をX軸、横方向をY軸とし、たとえば、マーカボード1Bの右上の位置を原点（X,Y)=(0,0)とし、１つの座標系で２つのマーカボードの位置座標を設定して、入力座標データを求めるようにしてもよい。
たとえば、１台のマーカボードの横方向Wのドット数を２３４ドットとし、縦方向Hのドット数を１３２ドットとすると、（０，２３４）と（１３２，２３４）を結ぶ直線部分で、マーカボード１Aとマーカボード１Bを接触させて、Y座標にオフセット（２３４）を付加して、マーカボード1Aの右上の位置を(0,234)とし、左下の位置を(132,468)とすればよい。
このようにすることで、ユーザ側では何も意識することなく、広いマーカボードとして利用することができ、1枚構成のマーカボードであるかのように、保存した描画情報を扱うことができる。
【００９７】
＜第３実施例：硬質マーカボードを用いた筆記入力装置の構成＞
以下に、硬質マーカボードを用いた筆記入力装置の態様を説明する。
なお、第１実施例のマーカボードフィルムを用いた筆記入力装置と共通部分については説明を省略しており、ここに記載していない内容については第１実施例と同様である。
【００９８】
図２３に、この発明の硬質マーカボードを用いた筆記入力装置の一実施例の概略構成図を示す。
図２３は、硬質マーカボードの主要な構成部材の断面図を示している。
硬質マーカボードを用いた筆記入力装置は、主として、マーカ面部材８１、保護部材８２、背面保護板８３、回路基板８４、タッチセンサ部材（９１、９２）、接着部材９３から構成される。
【００９９】
マーカ面部材８１は、マーカペンで、文字等を筆記することにより、その表面にインクで筆記情報を記入することが可能な平面板である。
保護部材８２は、タッチセンサ部材を保護する部材であり、マーカ面部材の背面側であって、マーカ面部材とタッチセンサ部材とが接触する面の裏面に配置される。
背面保護板８３は、筆記入力装置の最背面に位置し、保護部材８２を保護する平面板である。
【０１００】
回路基板８４は、タッチセンサから出力されるマーカペンが接触した位置を示す信号を受信して、筆記情報に対応する入力情報を生成する電子回路が搭載された基板である。
したがって、回路基板８４は、マーカペンがマーカ面部材に接触した位置の情報から、筆記情報に対応する入力情報を生成する入力情報生成部に相当する。
【０１０１】
タッチセンサ部材は、マーカ面部材の裏面に配置され、かつ筆記の際にマーカペンが接触した位置の情報を取得するタッチセンサである。
また、タッチセンサ部材は、上記したように、互いに直交する電極ラインからなる２つの静電容量センサ（Ｘセンサ９１、Ｙセンサ９２）からなる。
Ｘセンサ９１とＹセンサ９２は、マーカ面部材８１と保護部材８２との間に、積層され、接着部材９３によって固着される。
接着部材９３としては、たとえば、両面テープを用いればよい。
【０１０２】
本実施形態においては、マーカ面部材８１の材質として、実施例１のマーカボードフィルムに代えて硬質マーカボードを用いている。
第１の理由としては、本実施形態においては、マーカ面部材８１の裏面にシート状の静電容量方式のタッチセンサ部材（９１、９２）が配置されており、タッチセンサ部材には電気回路が組み込まれているので、折り曲げにより電気回路が断線することを防止するためにもマーカ面部材を応力に対して強靭な硬質マーカボードを用いることが望ましいためである。
また、第２の理由としては、本願発明以外のタッチセンサを用いていない一般的なホワイトボードにも該当することであるが、マーカ面部材の表面は、マーカペンでの記入時や、記入したインクを除去する際に擦れが発生することから、表面に傷が発生しやすいので、表面に硬質な材質を用いることが望ましいためである。
【０１０３】
なお、一般的なホワイトボードでは、金属板の表面をホーロー加工や樹脂で被覆したものを用いる場合が多いが、本実施形態においては、マーカ面部材の裏面に静電容量方式のタッチパネルが配置されており、導体である金属板はタッチパネルの検出精度に悪影響を与えるので、マーカ面部材８１の材質として硬質樹脂を用いている。
【０１０４】
マーカ面部材８１は、厚みが大きくなるとマーカペンで記入する表面とタッチパネルとの間の距離が大きくなり、タッチパネルの感度が低下するため、薄く形成することが望ましい。
マーカ面部材８１は、タッチパネルの感度とマーカ面部材の強度と兼ね合いから、1〜１０ｍｍであることが望ましい。
【０１０５】
硬質樹脂の種類としては、具体的にはメラミン樹脂、アクリル樹脂、ＰＥＴ(polyethylene terephthalate)樹脂、エポキシ樹脂などを用いることができる。
また、硬質樹脂以外の素材としては、ガラスを用いることも可能であるが、その場合は外部からの衝撃により割れ易く、かつ重量が大きくなる点が難点である。
本実施形態においては、硬質樹脂の種類として、特に強靭性と難燃性に優れるメラミン樹脂を用いている。
なお、硬質樹脂の種類として、フェノール樹脂等の基材の表面をメラミン樹脂等の他の種類の樹脂で覆った複合樹脂材料を用いてもよい。
【０１０６】
マーカ面部材８１の裏面には、シート状の静電容量方式のタッチセンサ部材（９１、９２）が配置されており、タッチセンサ部材（９１、９２）はマーカ面部材の裏面に両面テープ９３で張り合わされている。
【０１０７】
タッチセンサ部材のさらに裏面には、保護部材８２が配置されている。
保護部材８２は、マーカ面部材と比較して、厚さの制約が少なく、かつ硬質性も必要性が低い。
一方で、保護部材８２は、折り曲げ応力に対して強靭であり、かつ軽量であることが望ましい。
このことから、保護部材８２は、発泡性の樹脂材料、またはコルゲート板を用いることが望ましい。
【０１０８】
発泡性の樹脂材料としては、具体的には発砲ポリスチレン、発砲ポリエチレン、発砲ポリプロピレン、発砲フェノール樹脂などを用いることができる。
本実施形態では、発泡性の樹脂材料として発砲ポリスチレンを用いている。コルゲート板の材料は各種の樹脂材料のほかに紙や木材を用いることができる。
本実施形態では、コストと強度の観点から、保護部材の材質として発砲ポリスチレンを用いている。
保護部材８２の厚さはマーカ面部材８１よりも大きいことが望ましい。具体的には、保護部材８２の厚さは1０〜５０ｍｍであることが望ましい。
【０１０９】
シート状のタッチセンサ（９１、９２）は、マーカ面部材８１と保護部材８２とに表裏を挟みこまれた構造となっており、このため折り曲げ応力に対して非常に強靭な構造となっている。
本実施形態では、タッチセンサ以外に回路基板８４も、マーカ面部材８１と保護部材８２とに表裏を挟みこまれた構造となっており、同じように折り曲げによる破壊から保護する構造となっている。
【０１１０】
保護部材８２のさらに裏面には、保護部材の表面を保護するための薄い背面保護板８３が配置されている。
背面保護板８３としては、たとえば、アルミ板が用いられるが、背面保護板８３の材質は、アルミニウムに限るものではなく、アルミニウム以外の金属の板や樹脂製の板であってもよい。
【０１１１】
＜実施形態のまとめ＞
（実施形態１）
図１に示したように、筆記入力装置１００の入力部は、マーカボードフィルム１、静電容量センサ（Ｘ）2aと静電容量センサ（Ｙ）2bからなるタッチセンサ２、およびPETフィルムなどの保護部材3から構成され、筆記入力装置１００は、入力部に加え、入力部から
筆記入力に関する情報を取得する制御装置を備えてなる。
これによれば、筆記入力された情報を読み取るスキャナ等の装置を設ける必要が無く、簡易かつ安価な構成で、筆記入力された描画情報を保存することのできる筆記入力装置を提供することができる。
【０１１２】
（実施形態２）
筆記入力装置１００の入力部は、マーカボードフィルム１、静電容量センサ（Ｘ）2aと静電容量センサ（Ｙ）2bからなるタッチセンサ２によって構成してもよい。
これによれば、保護部材が無いので、小型軽量かつ携帯可能であって、ユーザが自由にその大きさと形状を設定できる筆記入力装置を提供することができる。
【０１１３】
（実施形態３）
図１８に示したように、１つの筆記入力装置の入力部に相当する部分を、横方向あるいは縦方向に、複数台組み合わせて配置した、マルチ筆記入力装置を構成してもよい。
これにより、より大きな描画面積を持つ筆記入力装置を提供することができる。
【０１１４】
（実施形態４）
記憶部に保存された描画情報を、所定の送信先に送信する構成を備えてもよい。
送信先としては、たとえば、メールアドレス、プリンタ、USBメモリのような記憶媒体、外部に設置されたサーバ、大型の表示装置、プロジェクタ、テレビ会議システムの制御装置などがある。
これによれば、筆記入力された描画情報の再利用性を高めることができ、筆記入力したユーザ以外の者も、描画情報を利用することができる。
また、遠隔地のテレビ会議システムに、筆記入力中の描画情報を、リアルタイムで送信することにより、描画情報の共有化を図ることができる。
【０１１５】
（実施形態５）
ユーザが描画して保存された描画情報から、文字部分を抽出して、文字認識する機能を備えてもよい。また、文字認識された結果から、ユーザの指定するキーワードを抽出する機能を備えてもよい。
これによれば、文字認識した文字部分をテキスト情報として扱えるので、筆記入力された描画情報の再利用性を高めることができ、ユーザが描画した文字認識によって筆記の議事録等を清書して残すことや、キーワード抽出をすることにより議事録のファイリングを効率化することができる。
【０１１６】
付記：この発明は、以下の特徴を有する筆記入力装置である。
（付記１）
マーカペンで筆記することにより、表面にインクで筆記情報を記入することが可能なマーカ面部材と、前記マーカ面部材の裏面に配置され、かつ前記筆記の際に前記マーカペンが接触した位置の情報を取得するタッチセンサ部材と、前記マーカペンが前記マーカ面部材に接触した位置の情報から、前記筆記情報に対応する入力情報を生成する入力情報生成部とを備えることを特徴とする筆記入力装置。
（付記２）
前記タッチセンサ部材は、静電容量方式のタッチセンサであることを特徴とする付記１に記載の筆記入力装置。
（付記３）
前記タッチセンサ部材は、インクを含んだ前記マーカペンの先端部が前記マーカ面部材の表面に接触することによる静電容量の変化を検出することを特徴とする付記２に記載の筆記入力装置。
（付記４）
前記インクは、溶媒の主成分の比誘電率が１０以上であることを特徴とする付記３に記載の筆記入力装置。
（付記５）
前記マーカ面部材は、樹脂材料からなることを特徴とする付記１から４のいずれかに記載の筆記入力装置。
（付記６）
前記マーカ面部材の厚さは１．０ｍｍ以上、１０．０ｍｍ以下であることを特徴とする付記１から５のいずれかに記載の筆記入力装置。
（付記７）
前記タッチセンサ部材を保護する保護部材をさらに備え、
前記保護部材が、前記タッチセンサ部材の前記マーカ部材が位置する側の面とは反対側の面に配置されることを特徴とする付記１または２に記載の筆記入力装置。
（付記８）
前記保護部材は、発泡性樹脂またはコルゲート板からなることを特徴とする付記７に記載の筆記入力装置。
（付記９）
前記保護部材の厚さは１０．０ｍｍ以上、５０．０ｍｍ以下であることを特徴とする付記７または８のいずれかに記載の筆記入力装置。
（付記１０）
前記入力情報生成部は、静電容量の変化が、所定の第１のしきい値より大きく、所定の第2のしきい値より小さい場合に、接触された操作を入力操作であると判定し、第2のしきい値よりも大きい変化であった場合は、接触された操作を入力操作以外であると判定することを特徴とする付記２に記載の筆記入力装置。
（付記１１）
前記入力情報生成部は、静電容量の変化の大きさを利用して入力操作と消去操作とを判別し、消去操作がされたと判定した場合は、消去操作がされた部分に対応する入力情報を消去することを特徴とする付記２または１０に記載の筆記入力装置。
（付記１２）
前記消去操作は、消去部材により行われるものであって、前記消去部材は、所定面積以上の大きさを持ち、前記マーカ面部材上で静電容量の変化を発生させるための導電性部材と、前記マーカ面部材に記入されたマーカペンのインクを消去するための拭き取り部とを備え、前記消去操作がされた場合、前記拭き取り部によって前記マーカ面部材の表面に記入された筆記情報が消去されると同時に、前記消去操作がされた部分に対応する入力情報が消去されることを特徴とする付記１１に記載の筆記入力装置。
（付記１３）
前記入力情報生成部は、前記検知された静電容量の変化が、前記マーカ面部材上の所定の距離内において前記所定の第2のしきい値以上の大きさを持つ変化であった場合、あるいは、所定時間内に一定量の距離以上の接触入力位置の移動があった場合は、接触された操作は消去部材による消去操作であると判定し、
所定時間内における接触入力位置の移動が、前記一定量の距離よりも小さい場合は、描画を意図しない操作と判定することを特徴とする付記１１または１２に記載の筆記入力装置。
（付記１４）
前記入力情報に含まれる複数の入力座標データを繋いで生成される線分が、周期的な微小な変化を持つ線分である場合、前記複数の入力座標データを、所定の近似直線を用いて補正する入力座標補正部を、さらに備えることを特徴とする付記１から１３のいずれかに記載の筆記入力装置。
（付記１５）
前記入力情報を利用して、文字に相当する部分を抽出して、筆記入力された文字を認識する文字認識部を、さらに備えたことを特徴とする付記１から１４のいずれかに記載の筆記入力装置。
（付記１６）
前記入力情報を、外部機器に送信する通信部を、さらに備えたことを特徴とする付記１から１５のいずれかに記載の筆記入力装置。
（付記１７）
前記外部機器には、ネットワークを介して接続されたサーバ、表示装置、プリンタ、および記憶媒体を含むことを特徴とする付記１６に記載の筆記入力装置。
（付記１８）
前記入力情報は、前記マーカペンが前記マーカ面部材に接触した位置の入力座標データ、および前記入力座標データを利用して生成された画像データであり、前記入力座標データに加えて、接触状態を区別可能な情報である属性情報を含むことを特徴とする付記１から１７のいずれかに記載の筆記入力装置。
【０１１７】
（付記１０１）
筆記によって情報を記入することが可能なマーカボードフィルムと、前記マーカボードフィルムの裏面に配置されかつ前記記入によって接触された位置の静電容量の情報を取得するタッチセンサとからなる入力部と、前記タッチセンサによって取得された情報から静電容量の変化を検知する容量変化検知部と、前記検知された静電容量の変化に基づいて、接触された領域の位置を検出し、その位置の入力座標データを取得する接触位置検出部と、前記検知された静電容量の変化に基づいて、接触された領域の形状を判定する形状判定部と、前記取得された入力座標データと前記判定された形状に基づいて、筆記入力された描画情報を記憶する記憶部とを備えたことを特徴とする筆記入力装置。
（付記１０２）
前記タッチセンサが、互いに直交する電極ラインからなる２つの静電容量センサであり、２つの静電容量センサは、前記マーカボードフィルムの裏面に接触するように積層配置され、２つの静電容量センサの電極ラインが交差する領域の静電容量の情報が取得されることを特徴とする付記１０１に記載の筆記入力装置。
これによれば、入力部が、マーカボードフィルムとタッチセンサとからなるので、小型軽量で携帯可能であって、ユーザが自由にその大きさと形状を設定することのできる筆記入力装置を構成することができ、入力部に相当する部分を、壁に貼ることや、机などの板状部材の上に置くことによって、容易に筆記入力をすることができ、筆記入力をする場所の自由度が大きい。
（付記１０３）
前記タッチセンサを保護する保護部材が、前記マーカボードフィルムと前記タッチセンサが接触する面と異なる面であって、前記タッチセンサに接触するように積層配置されることを特徴とする付記１０１または１０２に記載の筆記入力装置。
（付記１０４）
前記形状判定部は、前記検知された静電容量の変化が、所定の第１のしきい値より大きく、所定の第2のしきい値より小さい場合に、接触された操作は筆記入力操作であると判定し、第2のしきい値よりも大きい変化であった場合は、接触された操作は筆記入力操作以外であると判定することを特徴とする付記１０１から１０３のいずれかに記載の筆記入力装置。
これにより、マーカペンとマーカペン以外による接触とを判定しているので、ユーザが、筆記入力操作をしているのか、あるいは筆記入力操作以外の操作をしているのかを、自動的に区別することができる。
（付記１０５）
前記形状判定部は、前記検知された静電容量の変化が、前記マーカボードフィルム上の所定の距離内において前記所定の第2のしきい値以上の大きさを持つ変化であった場合、あるいは、所定時間内に一定量の距離以上の接触入力位置の移動があった場合は、接触された操作は消去部材による消去操作であると判定し、所定時間内における接触入力位置の移動が、前記一定量の距離よりも小さい場合は、描画を意図しない操作と判定することを特徴とする付記１０４に記載の筆記入力装置。
（付記１０６）
前記消去部材は、所定面積以上の大きさを持ち、かつ前記容量変化検知部が静電容量の変化を検出するための導電性部材と、前記マーカボードフィルムに記入されたマーカペンのインクを消去するためのフェルトとを備え、前記消去部材によって、前記マーカボードフィルムにすでに記入されていた筆記情報を消去する操作がされた場合、前記フェルトによって、消去操作がされた部分の筆記情報が消去され、かつ、前記記憶部に記憶されていた描画情報のうち、前記消去操作がされた部分の筆記情報に対応する描画情報が消去されることを特徴とする付記１０５に記載の筆記入力装置。
これによれば、ユーザが意図して消去した部分の筆記情報に対応する描画情報が記憶部から消去されるので、マーカボードフィルムに残っている筆記情報と、記憶部に記憶されている描画情報とを、自動的に一致させることができる。
センサ電極の配置方法によっては描画座標と出力座標とで周期的な不一致が見られるので、予め求めた座標変換式によって座標変換してもよい。この周期的な不一致は、周期的な微小な変化を持つ線分として現れる。
（付記１０７）
前記記憶部に記憶された描画情報に含まれる複数の入力座標データを繋いで生成される線分が、周期的な微小な変化を持つ線分である場合、前記複数の入力座標データを、所定の近似直線を用いて補正する入力座標補正部を、さらに備えることを特徴とする付記１０１から１０６のいずれかに記載の筆記入力装置。
これによれば、周期的な微小な変化を持つ線分の入力座標データを、所定の近似直線を用いて補正するので、記憶部に記憶された描画情報を再生する場合、マーカボードフィルムに筆記された線分と同様に、周期的な微小な変化の少ない線分として再生することができる。
（付記１０８）
前記記憶部に記憶されていた描画情報を利用して、文字に相当する部分を抽出して、筆記入力された文字を認識する文字認識部を、さらに備えたことを特徴とする付記１０１から１０７のいずれかに記載の筆記入力装置。
これによれば、記憶部に記憶されていた描画情報のうち、文字部分を認識するので、筆記入力された文字情報を、清書した状態で残すことが可能となり、認識した文字部分の編集をすることができ、筆記入力された文字情報の再利用性を向上させることができる。
（付記１０９）
前記記憶部に記憶されていた描画情報、または、前記マーカボードフィルムに対して現在筆記によって記入されている情報を、外部機器に送信する通信部を、さらに備えたことを特徴とする付記１０１から１０８のいずれかに記載の筆記入力装置。
（付記１１０）
前記外部機器には、ネットワークを介して接続されたサーバ、表示装置、プリンタ、および記憶媒体を含むことを特徴とする付記１０９に記載の筆記入力装置。
これによれば、記憶部に記憶されていた描画情報を、外部機器に送信するので、描画情報を、筆記入力装置以外の外部機器で利用することが可能となり、筆記入力された情報の再利用性を向上させることができる。
（付記１１１）
前記記憶部に記憶される描画情報は、前記接触位置検出部によって取得された入力座標データ、および前記入力座標データを利用して生成された画像データであり、前記入力座標データに加えて、接触状態を区別可能な情報である属性情報が記憶されることを特徴とする付記１０１から１１０のいずれかに記載の筆記入力装置。
これによれば、画像データ、または、入力座標データおよび属性情報を利用することにより、筆記入力された描画情報を、容易に再生することができる。
【符号の説明】
【０１１８】
１  マーカボードフィルム、  
１A  マーカボード、  
１B  マーカボード、
２  タッチセンサ、  
2a  静電容量センサ（Ｘセンサ）、  
2b  静電容量センサ（Ｙセンサ）、  
３  保護部材、
3a  PETフィルム、
１０  入力部、
１１  センサ駆動部、
１２  容量変化検知部，
１３  形状判定部、
１４  接触位置検出部、
１５  移動量取得部、
１６  通信部、
１７  入力座標補正部、
２０  記憶部、
２１  入力座標データ、
２２  画像データ、
３０  外部機器、
３１  表示装置、
３２  プリンタ、
３３  サーバ、
４０  ネットワーク、
５１  消去部材（消しゴム）、
５２  導電性部材、
５３  非導電性部材、
５４  フェルト、
８１  マーカ面部材、
８２  保護部材、
８３  背面保護板、
８４  回路基板、
９１  タッチセンサ部材（Ｘセンサ）、
９２  タッチセンサ部材（Ｙセンサ）、
９３  接着部材、
１００  入力装置
【図１】
2018012563.tif 000003
【図２】
2018012563.tif 000004
【図３】
2018012563.tif 000005
【図４】
2018012563.tif 000006
【図５】
2018012563.tif 000007
【図６】
2018012563.tif 000008
【図７】
2018012563.tif 000009
【図８】
2018012563.tif 000010
【図９】
2018012563.tif 000011
【図１０】
2018012563.tif 000012
【図１１】
2018012563.tif 000013
【図１２】
2018012563.tif 000014
【図１３】
2018012563.tif 000015
【図１４】
2018012563.tif 000016
【図１５】
2018012563.tif 000017
【図１６】
2018012563.tif 000018
【図１７】
2018012563.tif 000019
【図１８】
2018012563.tif 000020
【図１９】
2018012563.tif 000021
【図２０】
2018012563.tif 000022
【図２１】
2018012563.tif 000023
【図２２】
2018012563.tif 000024
【図２３】
2018012563.tif 000025
【国際調査報告】
2018012563.tif 000026
2018012563.tif 000027
2018012563.tif 000028
2018012563.tif 000029